(57)【要約】【課題】  外部接続用の金属突起電極の接続安定性を確保できる半導体装置およびその製造方法を提供する。【解決手段】  半導体基板１の表面に内部回路に接続した電極パッド２が形成されるとともに、前記電極パッド２の周囲に電極パッド２に近接して配線６が形成され、前記電極パッド２の周縁部と配線６と半導体基板表面とを覆う保護膜４が形成され、前記電極パッド２上に金属突起電極３が前記配線６上の保護膜４に周縁部が載るように形成される。これによれば、配線６が電極パッド２に近接して形成されているため、電極パッド２の周縁部およびその周囲領域を覆う保護膜４は比較的平坦に形成され、金属突起電極３は、前記比較的平坦な保護膜４に載って形成される凸部３ａに平坦な表面を持つことになる。このため、電極パッド２が小さくても金属突起電極３の表面に平坦な領域を十分に確保することができ、ＣＯＧ実装などでの異方性導電シート等による接続安定性を確保できる。【選択図】  図１
2005260207.tif 000002
【特許請求の範囲】
【請求項１】
半導体基板の表面に内部回路に接続した電極パッドが形成されるとともに、前記パッドの周囲に前記電極パッドに近接して配線が形成され、前記電極パッドの周縁部と配線と半導体基板表面とを覆う保護膜が形成され、前記電極パッド上に金属突起電極が前記配線上の保護膜に周縁部が載るように形成された半導体装置。
【請求項２】
複数個の電極パッドの周囲に配線が形成され、各電極パッドの周縁部と配線と半導体基板表面とを覆う保護膜が形成され、前記複数個の電極パッドを接続するように金属突起電極が形成された請求項１記載の半導体装置。
【請求項３】
電極パッドの外周に沿って１または複数本の配線が配置され、前記１または複数本の配線上および電極パッド上の保護膜に周縁部が載るように金属突起電極が形成された請求項１または請求項２のいずれかに記載の半導体装置。
【請求項４】
電極パッドの全周を囲むように１または複数本の配線が配置され、前記１または複数本の配線上の保護膜に周縁部が載るように金属突起電極が形成された請求項１または請求項２のいずれかに記載の半導体装置。
【請求項５】
隣接した電極パッド間にも配線が形成された請求項２記載の半導体装置。
【請求項６】
金属突起電極の外端部が、配列された電極パッドおよび配線の最外端部とその外側の半導体基板表面との段差に基づいて保護膜の表面に形成された傾斜部よりも内側に配置された請求項１記載の半導体装置。
【請求項７】
電極パッドの外方に複数本の配線が適当間隔で形成され、電極パッドと配線との間隙および配線どうしの間隙の上の保護膜の表面に形成された複数の傾斜部が互いに連続している請求項１記載の半導体装置。
【請求項８】
電極パッドと配線との間隙または複数本形成された配線どうしの間隙の上の保護膜の表面に形成された傾斜部の段差が１μｍ以下である請求項１記載の半導体装置。
【請求項９】
単一の電極パッドまたは配線の上の保護膜に矩形の金属突起電極の三方の周縁部が載っている請求項３または請求項４のいずれかに記載の半導体装置。
【請求項１０】
金属突起電極の三方の周縁部が載った電極パッドの外端部あるいは配線が半導体基板の外周縁に沿う方向に配置されている請求項９記載の半導体装置。
【請求項１１】
金属突起電極の三方の周縁部が載った電極パッドの外端部あるいは配線が半導体基板の外周縁の近傍に位置している請求項９記載の半導体装置。
【請求項１２】
配線が、電極パッドを囲んで連続して形成された請求項４記載の半導体装置。
【請求項１３】
電極パッドと前記電極パッドの周囲に前記電極パッドに近接して形成された配線とを表面に有した半導体基板上に、前記電極パッドの周縁部と配線と半導体基板表面とを覆う保護膜を形成する工程と、前記電極パッド上から配線上の保護膜にわたる領域に金属材料を成長させて金属突起電極を形成する工程とを行なう半導体装置の製造方法。
【発明の詳細な説明】
【技術分野】
【０００１】
本発明は外部接続用の金属突起電極を有した半導体装置およびその製造方法に関する。
【背景技術】
【０００２】
近年、ノートパソコンや液晶型ＴＶの普及によって、液晶パネルの需要が大きく伸びてきており、液晶パネルを動作させるための半導体装置の需要もまた大きく伸びている。一方で、ノートパソコンなどを普及価格化するために液晶パネルや半導体装置のコストダウンの要求が強くなってきており、ＴＣＰ（Tape Carrier Package）実装やＣＯＧ（Chip on Glass）実装のように半導体装置を直接に実装基板に異方性導電シート等を使用して実装する方法が多用されている。ＴＣＰ実装やＣＯＧ実装などでは、実装基板と半導体装置の外部電極との接続の安定性が重要な技術課題である。
【０００３】
図１０は半導体装置（半導体チップ）上における外部電極としての入出力パッドの一般的な配置を示し、半導体素子が形成され回路を構成している能動領域２１の外側であって、半導体装置２２の周縁領域に入出力パッド２３が設けられている。入出力パッド２３は、図１１に拡大図示するように、半導体基板１の表面に形成されたアルミニウム合金主体の電極パッド２と、その上に外部リードと接続するために形成された金やニッケル等の金属突起電極３とを少なくとも備えている。また金属突起電極３を電解めっき技術などで形成するために予め、電極パッド２の周縁部まで覆うように保護膜４が形成されている。電極パッド２と金属突起電極３の材料の組み合わせによってはバリアメタル層５が形成される。図示を省略するが、ＴＣＰのリード接続の信頼性を高めるために、金属突起電極３を電極パッド２よりも少なくとも一方向に大きくのばして接続面積を大きくしたものもある（例えば特許文献１参照）。
【特許文献１】特開２００１−１１０８３３号公報
【発明の開示】
【発明が解決しようとする課題】
【０００４】
ところが、上記したように電極パッド２の周縁部を覆う保護膜４を形成すると、保護膜４で覆われない電極パッド２の表面と保護膜４の表面とで段差が生じ、その上に形成される金属突起電極３の表面に段差が発生する。つまり、段差のある電極パッド２と保護膜４との表面に電解めっき技術などで金属突起電極３を形成するため、金属突起電極３に凸部３ａと凹部３ｂとが形成されるのである。段差が発生するとはいえ、金属突起電極３の突起形状を安定に形成できる技術は電解めっき以外にないため、この工法が使用されているのが現状である。
【０００５】
しかし段差が存在すると、ＣＯＧ実装などで金属突起電極３を実装基板上に異方性導電シートを介して接続する時に、異方性導電シート中の導電粒子が密着できる部分とできない部分とが生じることがあり、導電粒子が十分に密着しない場合に、半導体装置と実装基板との接続抵抗が設計値よりも大きくなったり、ばらつく。この対策として、たとえば導電粒子を段差以上に十分に大きくする方法があるが、隣接した金属突起電極３とのショートの可能性が高くなるため、狭ピッチの半導体装置への適用は困難である。
【０００６】
本発明は上記問題を解決するもので、外部接続用の金属突起電極の接続安定性を確保できる半導体装置およびその製造方法を提供することを目的とする。
【課題を解決するための手段】
【０００７】
上記課題を解決するために、本発明の半導体装置は、半導体基板の表面に内部回路に接続した電極パッドが形成されるとともに、前記パッドの周囲に前記電極パッドに近接して配線が形成され、前記電極パッドの周縁部と配線と半導体基板表面とを覆う保護膜が形成され、前記電極パッド上に金属突起電極が前記配線上の保護膜に周縁部が載るように形成されたことを特徴とする。
【０００８】
上記構成によれば、電極パッドに近接して配線が形成されているため、電極パッドの周縁部およびその周囲領域を覆う保護膜は比較的平坦に形成され、金属突起電極はその比較的平坦な保護膜上に周縁部が載ることで平坦な表面を持つことになる。したがって、電極パッドが小さくても金属突起電極の表面に平坦な領域を十分に確保することができ、異方性導電シート等による接続安定性を確保できる。
【０００９】
複数個の電極パッドの周囲に配線が形成され、各電極パッドの周縁部と配線と半導体基板表面とを覆う保護膜が形成され、前記複数個の電極パッドを接続するように金属突起電極が形成されてよい。
【００１０】
電極パッドの外周に沿って１または複数本の配線が配置され、前記１または複数本の配線上および電極パッド上の保護膜に周縁部が載るように金属突起電極が形成されてよい。
また、電極パッドの全周を囲むように１または複数本の配線が形成され、前記１または複数本の配線上の保護膜に周縁部が載るように金属突起電極が形成されてよい。
【００１１】
隣接した電極パッド間にも配線が形成されてよい。
金属突起電極の外端部が、配列された電極パッドおよび配線の最外端部とその外側の半導体基板表面との段差に基づいて保護膜の表面に形成された傾斜部よりも内側に配置されるのが好ましい。
【００１２】
電極パッドの外方に複数本の配線が適当間隔で形成され、電極パッドと配線との間隙および配線どうしの間隙の上の保護膜の表面に形成された複数の傾斜部が互いに連続しているのが好ましい。
【００１３】
電極パッドと配線との間隙または複数本形成された配線どうしの間隙の上の保護膜の表面に形成された傾斜部の段差が１μｍ以下であるのが好ましい。
単一の電極パッドまたは配線の上の保護膜に矩形の金属突起電極の三方の周縁部が載っていてよい。
【００１４】
金属突起電極の三方の周縁部が載った電極パッドの外端部あるいは配線が半導体基板の外周縁に沿う方向に配置されているのが好ましい。
金属突起電極の三方の周縁部が載った電極パッドの外端部あるいは配線が半導体基板の外周縁の近傍に位置しているのが好ましい。
【００１５】
配線は、電極パッドを囲んで連続して形成されたものであってよい。
本発明の半導体装置の製造方法は、電極パッドと前記電極パッドの周囲に前記電極パッドに近接して形成された配線とを表面に有した半導体基板上に、前記電極パッドの周縁部と配線と半導体基板表面とを覆う保護膜を形成する工程と、前記電極パッド上から配線上の保護膜にわたる領域に金属材料を成長させて金属突起電極を形成する工程とを行なうことを特徴とする。
【発明の効果】
【００１６】
本発明の半導体装置は、外部接続用の金属突起電極を、電極パッドに近接した配線の上に周縁部が載るように形成したことにより、電極パッドの周縁部およびその周囲領域を覆う保護膜を比較的平坦に形成することができ、この比較的平坦な保護膜に載る金属突起電極の周縁部に平坦な表面を持たせることができる。したがって、電極パッドが小さくても金属突起電極の表面に平坦な領域を十分に確保することが可能になり、ＣＯＧ実装などでの異方性導電シート等による接続安定性を確保できる。
【発明を実施するための最良の形態】
【００１７】
以下、本発明の実施の形態について図面を参照しながら説明する。
図１は本発明の一実施形態における半導体装置の入出力パッド部分の構造を示す断面図、図２は同入出力パッド部分の平面図である。入出力パッドは一般に、半導体装置（半導体チップ）において、トランジスタ、抵抗、キャパシタ、ダイオードや配線等、半導体素子が形成され内部回路が構成されている能動領域の外側、半導体基板の周縁領域に位置している（図１０参照）。
【００１８】
図１および図２において、半導体基板１の表面に、内部回路に接続した電極パッド２と複数の配線６とが同一層にて形成され、電極パッド２の周縁部と配線６と半導体基板１表面とを覆う保護膜４が少なくとも一層形成されている。保護膜４の開口部４ａから露出した電極パッド２上および保護膜４上には、バリアメタル層５を介して金属突起電極３が形成されている。電極パッド２の下方の半導体基板１内には、トランジスタなどが形成された能動領域７が設けられていることもある。
【００１９】
複数の配線６は、矩形の電極パッド２を囲むように、且つ電極パッド２に近接して形成されている。これら配線６は、電極パッド２と同等の厚みを有しており、互いに平行に間隔をおいて配置されている。詳細には、矩形の電極パッド２の互いに平行な一対の辺のそれぞれの近傍に、各辺に沿って伸びる配線６が配置され、もう一対の辺のそれぞれの近傍に、各辺と交わる方向に沿って伸びる配線６が形成されている。また配線６と電極パッド２とで矩形の領域を占めている。各配線６は、電極パッド２に対して電気的に分離されてあるいは接続されて、内部回路に繋がっているか、あるいは内部回路に全く繋がらないダミー配線として形成されている。
【００２０】
保護膜４は、電極パッド２の周縁部と配線６とその周囲の半導体基板１表面との上にほぼ均一な膜厚で形成されており、電極パッド２，配線６と半導体基板１表面との境界部分は傾斜している。
【００２１】
金属突起電極３は、電極パッド２に中心を合わせて、各配線６の外端部と半導体基板１表面との境界部分の保護膜４の傾斜部４ｂ（以下、単に保護膜４の傾斜部４ｂという）よりも内側に外端が位置するように形成されている。ここでは金属突起電極３と傾斜部４ｂとの距離をＬ１で示している。金属突起電極３の表面は、保護膜４の開口部４ａから露出した電極パッド２の表面と保護膜４の表面との高さの差に依存して凹凸状をなしている。以下、保護膜４の上に載った高位部分を凸部３ａと呼び、開口部４ａから露出した電極パッド２の上に載った低位部分を相対的に凹部３ｂと呼ぶ。
【００２２】
上記半導体装置の製造方法について、図３の工程図により説明する。
図３（ａ）に示すように、半導体素子形成済みの半導体基板１に電極パッド２および配線６をスパッタやＣＶＤ技術などにより形成する。電極パッド２および配線６の材料としてはアルミニウムや銅を主成分とする導電体を好適に使用できる。
【００２３】
次に図３（ｂ）に示すように、開口部４ａを持った保護膜４を形成する。この保護膜４はＣＶＤ技術を利用して形成し、フォトリソグラフィーとドライエッチングなどの技術によりパターン形成することができる。保護膜４の材料としては、ＳｉＮのほか、ＳｉやＧａ等を主成分とする材料を好適に使用できる。なおＣＶＤ法などで成膜すると、下地のパターンに倣って膜が形成されるが、境界部分では完全にはパターンに倣えず、傾斜部４ｂなどが形成される。
【００２４】
次に図３（ｃ）に示すように、電極パッド２と保護膜４との全面にスパッタ技術などを利用して所望の厚みのバリアメタル層５を形成する。バリアメタル層５には、Ｔｉのほか、ＴｉＷ、Ｗ、Ｐｄ、Ｃｒ等の材料を使用できる。
【００２５】
次に図３（ｄ）に示すように、電極パッド２上にバリアメタル層５を介して金属突起電極３を形成する。この金属突起電極３は、上述したように保護膜４の傾斜部４ｂよりも内側に外端が位置するように形成する。所望の位置とサイズに金属突起電極３を形成するために、一般にフォトリソグラフィーと電解メッキなどの技術が用いられる。ここでは、バリアメタル層５をシード層としてメッキを成長させ、金属突起電極３をパターニングし、金属突起電極３よりも外周側のバリアメタル層５を金属突起電極３をマスクとしてエッチングした。金属突起電極３には金やニッケル等の材料を使用できる。
【００２６】
なおバリアメタル層５は、電極パッド２と金属突起電極３との材料組み合わせによっては、金属突起電極３の形成時に電極パッド２の溶解などが起きるので、それを避けるために介在させるのが望ましい。
【００２７】
このような入出力パッド部分においては、金属突起電極３は保護膜４の傾斜部４ｂよりも内側に形成されているので、その凹凸形状は概ね保護膜４の開口部４ａでの段差にのみ基づいて形成される。配線６どうしの間隙や電極パッド２と配線６との間隙の上の保護膜４の表面に形成される段差は小さいのでその影響はほとんど受けない。このため、金属突起電極３の凸部３ａの上面は、電極パッド２に近接した配線が存在しない従来構造に比べて面積が大きくなり、かつ、ほぼ平坦になる。よって、ガラス基板などの実装基板との間に配置される異方性導電シート中の導電フィラーの接触確率が高くなり、安定した接合を実現できる。金属突起電極３の表面側から加重を加えて実装する際も、保護膜４にクラックなどの不良は発生しにくく、抵抗値高安定性のある実装を実現できる。実装時の荷重を
電極パッド２と配線とで受けるので、電極パッド２の下方の能動領域７への影響も少ない。
【００２８】
図１、図２に示した入出力パッド部分の具体例を挙げる。電極パッド２を４０μｍ×４０μｍサイズとし、配線６を３０μｍ幅、電極パッド２との間隔１μｍとして、それぞれ９００ｎｍ厚みにて形成し、その上に保護膜４を約１０００ｎｍ厚みにて形成し、その上にバリアメタル層５を２００ｎｍ厚みにて形成し、さらにその上に、保護膜４の傾斜部４ｂより２μｍ内側に外端が位置するように金属突起電極３を１７μｍ厚みにて形成した。
【００２９】
その結果、保護膜４には、配線６どうしの間隙に基づく段差が３００ｎｍ生じたが、この段差上に位置する金属突起電極３の凸部３ａの上面には特に凹凸は形成されなかった。この電極構造を持った半導体装置を、金属突起電極３の表面側から２００Ｎ／ｍｍ２の加重を加えて実装したところ、保護膜４にクラックなどの不良を生じることなく、良好に接合できた。
【００３０】
図４から図８に、本発明に係る他の入出力パッド部分の電極パッド、配線、金属突起電極のレイアウトを示す。保護膜４とバリアメタル層５の配置は図１と同様なので図示を省略している。
【００３１】
図４に示す入出力パッドでは、矩形の電極パッド２の３方に配線６を配置し、これら電極パッド２と配線６との上に、金属突起電極３を配置している。２ａは電極パッド２の保護膜からの露出部を示している。この電極構造でも、金属突起電極３を図１に示したのと同様に保護膜４の傾斜部４ｂよりも内側に形成することで、図１に示した電極構造と同様の効果が得られる。電極パッド２の一部を金属突起電極３外に引き出すこの構造では、電極パッド２及び配線６の引き回し自由度も向上する。
【００３２】
図５に示す入出力パッドでは、矩形の電極パッド２の周囲を囲むように形成する複数の配線６の内、１本の配線６ａを半導体基板１の端部１ａに沿って配置し、この配線６ａとそれよりも基板内側に位置する電極パッド２と配線６との上に、金属突起電極３を配置している。この電極構造でも、金属突起電極３を図１に示したのと同様に保護膜４の傾斜部４ｂよりも内側に形成することで、図１に示した電極構造と同様の効果が得られる。
【００３３】
図６に示す入出力パッドでは、矩形の電極パッド２を半導体基板１の端部１ａに沿って配置し、この電極パッド２とそれよりも基板内側に配置した配線６との上に、金属突起電極３を配置している。この電極構造でも、金属突起電極３を図１に示したのと同様に保護膜４の傾斜部４ｂよりも内側に形成することで、図１に示した電極構造と同様の効果が得られる。
【００３４】
さらに、これら図５，図６に示す入出力パッドは、半導体基板１の端部１ａに沿って形成された配線６ａあるいは電極パッド２の上の保護膜４に金属突起電極３の３方の周縁部が載った構造であるため、ＴＣＰなどのテープ基板実装で半導体チップとテープ基板との間の熱膨張係数差によって発生する引き剥がしの応力に対して有効である。つまり、この引き剥がしの力は半導体チップの外側から内側に向かって発生するため、金属突起電極３の下部にも引き剥がしの力がかかり、その個所に不連続部分があるとクラック等が発生しやすくなるのであるが、図５，図６に示した構造では、半導体基板１の端部１ａに沿った配線６ａあるいは電極パッド２には不連続部分がないため、クラック等は発生しにくい。
【００３５】
図７に示す入出力パッドでは、矩形の電極パッド２を囲むように四角枠状の配線６を配置し、この電極パッド２と配線６との上に金属突起電極３を配置している。この電極構造でも、金属突起電極３を図１に示したのと同様に保護膜４の傾斜部４ｂよりも内側に形成することで、図１に示した電極構造と同様の効果が得られる。さらにこの構造では、配線６に不連続個所が存在しないため、金属突起電極３の凸部３ａの上面の平坦度はより高くなる。
【００３６】
図８に示す入出力パッドでは、２個の電極パッド２Ａ，２Ｂの周囲に複数の配線６を近接して配置し、電極パッド２Ａ，２Ｂと配線６との上に金属突起電極３を配置している。
詳細には、２個の電極パッド２Ａ，２Ｂの間に、その対向した各辺に沿う方向に伸びる配線６ｂを配置し、一方の電極パッド２Ａの残りの３辺を囲むように複数の配線６を配置し、もう一方の電極パッド２Ｂの残りの２辺に沿う配線６を配置している。
【００３７】
この電極構造でも、金属突起電極３を図１に示したのと同様に保護膜４の傾斜部４ｂよりも内側に形成することで、図１に示した電極構造と同様の効果が得られる。さらにこの構造では、金属突起電極３が２個の電極パッド２Ａ，２Ｂ上にあるため、保護膜４から露出した電極パッド２の露出部２Ａａ，２Ｂａが小さい場合も金属突起電極３の接合安定性が増し、金属突起電極３の表面の平坦領域も増大する。なお配線６ｂは電極パッド２Ａ，２Ｂとは別個の回路に電気的に接続したものであってよい。
【００３８】
図９に示す入出力パッド部分では、電極パッド２の周囲の複数の配線６は、それぞれ幅狭く、且つ間隔を小さくして形成されている。このため、電極パッド２の周縁部から複数の配線６の外側の半導体基板１表面にわたって形成された保護膜４には、電極パッド２から最も遠い配線６の外端部と半導体基板１表面との境界部分に傾斜部４ｂが形成される他、配線６どうしの間隙あるいは配線６，電極パッド２間の間隙と保護膜４の膜厚とに見合った複数の傾斜部４ｃが形成される。これら複数の傾斜部４ｃは、前記間隙が十分に小さいため、ジグザグ状に連なっている。
【００３９】
この傾斜部４ｃにおける保護膜５の段差は１μｍ以下とするのが望ましい。１μｍを超える段差が形成されると、金属突起電極３の凸部７にも凹凸が形成されてしまう。段差が１μｍ以下であれば、電解めっきで金属突起電極３が形成される際に凹凸が吸収される。
上記したように傾斜部４ｃどうし連なる場合には段差は比較的小さくなり、金属突起電極３の凸部７には顕著な凹凸は形成されにくい。
【００４０】
このようにして形成された入出力パッド部分では、金属突起電極３の凸部３ａの上面は、電極パッド２に近接した配線６が存在しない従来構造に比べて面積が大きくなり、かつ、ほぼ平坦になる。よって、ガラス基板などの実装基板との間に配置される異方性導電シート中の導電フィラーの接触確率が高くなり、安定した接合を実現できる。金属突起電極３の表面側から加重を加えて実装する際も、保護膜４にクラックなどの不良は発生しにくく、抵抗値高安定性のある実装を実現できる。
【００４１】
図９に示した入出力パッド部分の具体例を挙げる。電極パッド２を４０μｍ×４０μｍサイズとし、配線６を１μｍ幅、隣接する配線６や電極パッド２との間隔１μｍとして、それぞれ９００ｎｍ厚みにて形成し、その上に保護膜４を約１０００ｎｍ厚みで形成し、その上にバリアメタル層５を２００ｎｍ厚みで形成し、さらにその上に金属突起電極３を１７μｍ厚みにて、保護膜４の傾斜部４ｂより１μｍ内側に外端が位置するように形成した。
【００４２】
その結果、保護膜４には、電極パッド２と配線６との間隙や配線６どうしの間隙に基づく段差が３００ｎｍ生じたが、この段差上に位置する金属突起電極３の凸部３ａの上面には特に凹凸は形成されなかった。この電極構造を持った半導体装置を、金属突起電極３の表面側から２００Ｎ／ｍｍ２の加重を加えて実装したところ、保護膜４にクラックなどの不良を生じることなく、良好に接合できた。
【００４３】
以上説明したように、本発明の各半導体装置は、外部接続用の金属突起電極を、電極パッドに近接した配線の上にも周縁部が載るように形成するので、電極パッドの周縁部およびその周囲領域を覆う保護膜を比較的平坦に形成することができ、この比較的平坦な保護膜に載る金属突起電極の周縁部に平坦な表面を持たせることができる。したがって、電極パッドが小さくても金属突起電極の表面に平坦な領域を十分に確保することができ、ＣＯＧ実装などでの異方性導電シート等による接続安定性を確保できる。
【００４４】
複数個の電極パッドの周囲に配線を形成し、前記複数個の電極パッドを接続するように金属突起電極を形成することで、金属突起電極の接合安定性が増し、金属突起電極の表面の平坦領域も増加する。
【００４５】
金属突起電極の外端部を、配列された電極パッドおよび配線の最外端部とその外側の半導体基板表面との段差に基づいて保護膜の表面に形成された傾斜部よりも内側に配置することで、ＣＯＧ実装時などの圧力への応力による保護膜のクラックも抑制できる。
【００４６】
電極パッドと配線との間隙および配線どうしの間隙の上の保護膜の表面に形成された複数の傾斜部が互いに連続するように間隙および膜厚を設定することで、その傾斜部の段差が比較的小さくなり、その上に形成される金属突起電極で吸収されてしまうため、金属突起電極の表面の平坦度を確保できる。
【００４７】
単一の電極パッドまたは配線の上の保護膜に三方の周縁部が載るように金属突起電極を形成することで、配線の引き回し性が向上する。
配線を、電極パッドを囲んで連続して形成することで、配線の不連続箇所がないぶん、金属突起電極の表面の平坦度を高くできる。
【産業上の利用可能性】
【００４８】
本発明に係る半導体装置は、液晶パネルを動作させるための半導体装置など、外部接続用の金属突起電極を有してＣＯＧ実装等される半導体装置として有用である。
【図面の簡単な説明】
【００４９】
【図１】本発明の一実施形態における半導体装置の入出力パッド部分の断面図
【図２】図１の半導体装置の入出力パッド部分の平面図
【図３】図１の半導体装置の製造方法を説明する工程図
【図４】本発明の他の入出力パッド部分の電極パッド、配線、金属突起電極のレイアウト図
【図５】本発明のさらに他の入出力パッド部分の電極パッド、配線、金属突起電極のレイアウト図
【図６】本発明のさらに他の入出力パッド部分の電極パッド、配線、金属突起電極のレイアウト図
【図７】本発明のさらに他の入出力パッド部分の電極パッド、配線、金属突起電極のレイアウト図
【図８】本発明のさらに他の入出力パッド部分の電極パッド、配線、金属突起電極のレイアウト図
【図９】本発明のさらに他の入出力パッド部分の断面図
【図１０】従来よりある半導体装置の概略構成を示す平面図
【図１１】従来の半導体装置の入出力パッド部分の断面図
【符号の説明】
【００５０】
１      半導体基板
１ａ      半導体基板端部
２      電極パッド
２ａ    電極パッドの保護膜開口部からの露出部
３      金属突起電極
３ａ    凸部
４      保護膜
４ａ    開口部
４ｂ    傾斜部
４ｃ    傾斜部
４ｄ    開口部
５      バリアメタル層
６      配線
２Ａ，２Ｂ      電極パッド
【図１】
2005260207.tif 000003
【図２】
2005260207.tif 000004
【図３】
2005260207.tif 000005
【図４】
2005260207.tif 000006
【図５】
2005260207.tif 000007
【図６】
2005260207.tif 000008
【図７】
2005260207.tif 000009
【図８】
2005260207.tif 000010
【図９】
2005260207.tif 000011
【図１０】
2005260207.tif 000012
【図１１】
2005260207.tif 000013